(57)【要約】【課題】釣り用クーラーに活きエビなどの餌を生かしたまま入れておく場合、保冷材を投入しただけではこれが邪魔となって餌が取り出しにくくなったり、取り出しのための開口面積が実質的に狭められたりするし、或いは、餌が直接保冷材に触れて冷えすぎてしまったり、海水の塩分濃度が低くなって餌が死滅しやすくなる、等々の弊害があり、これまで理想的なものがなかった。【解決手段】断熱材で形成されたクーラー本体と、開閉式の蓋体とを有する釣り用クーラーであって、該クーラー本体に着脱自在に嵌め込まれる中容器を有しており、またこの中容器の底材は該クーラー本体の底材と離反し両底材間に底空間部が形成されており、該底空間部には保冷材が収納されている。【選択図】　図１
2004033180.tif 000002
【特許請求の範囲】
【請求項１】
断熱材で形成されたクーラー本体と、開閉式の蓋体とを有する釣り用クーラーであって、該クーラー本体に着脱自在に嵌め込まれる中容器を有しており、またこの中容器の底材は該クーラー本体の底材と離反し両底材間に底空間部が形成されており、該底空間部には保冷材が収納されているものであることを特徴とする釣り用クーラー。
【発明の詳細な説明】
【０００１】
【発明の属する技術分野】
本発明は、活きエビなどの活きエサを状態良く収納しておくための釣り用クーラーの構造に関するものである。
【０００２】
【従来の技術】
釣りエサの中でイソメ類、エビ類などは、塩漬けや冷凍品も一部にはあるが基本的に生きたままの状態で針に付けられる。生きエサは、他のエサと異なり水中で自身が動くことによって魚の食餌欲を刺激するものであるため、釣果を上げようとすればエサが活発さを損なうことがないように留意することが必要となってくる。そこで、海水を溜めたバケツ内に空気を送り込み、この中に活きエビを投じておいて必要量だけを取り出して撒き餌や刺し餌に用いることが行われるようになった。しかし気温の高い時期ともなると、バケツは釣り座近くに置かれるものであるため日にさらされて水温が次第に上昇し、活きエビにとって好ましくない状況になることが多い。そこでバケツの代わりに釣り用クーラーを用い、昇温をできるだけ抑えるようにしたものが登場するようになった。
【０００３】
そもそも釣り用クーラーは、釣り上げた魚を収納し一時保存するための用品でありその名が示すように、密閉に近い内部空間に氷や保冷材を入れておき釣った魚を低温下で収納できるようにしたものである。これを活きエビ用クーラーに利用する場合には、大量の氷（や保冷材）が入れてあると水温が低くなりすぎるため却って活きエビが死滅することともなりかねないので、全く氷などを入れずに用いるか、ある程度水温が上がったらビニール袋に氷を入れたものを浮かべてみる、といった方法で対応している。なお海水に直接氷を投入しないのは、溶けた氷によって海水濃度が低下し活きエビの保存に支障を来すようなことがないようにするためである。
【０００４】
【発明が解決しようとする課題】
しかしながら、いくら密閉性が高いクーラーであったとしてもエビ取り出しの度ごとに大気開放されるわけであるから水温の上昇を止めることはできず、またビニール袋を投入するという方法は下記理由により、活きエビの取り出し作業を面倒なものとする可能性がある。即ち、通常エビの取り出しの際にはいきなりクーラー内に手を突っ込みエビをつかむということは能率という点でもエビを長く生かしておくためにもほとんどせず、大抵は、掬い網によって取り上げられている。従ってこの網の取り回しが容易なように、できるだけ大きな開口を確保し且つクーラー内に邪魔になるような部材が存在しないことが望まれる。このような理由により、クーラーの中の海水に氷の入ったビニール袋が浮かんでいるという形態は、能率の良いエビ取り出しを阻害するものであった。
【０００５】
また、活きエビ収納用のクーラーとしてクーラーの内部空間を二区画に分け、クーラー蓋体を開くと、左右いずれかの区画には保冷材或いは冷水を入れ、他方に海水を入れるようにしたものがある。この場合、クーラーの開口面積は冷却区画分だけ狭められることとなり、クーラーの大きさの割には有効面積の小さな商品とならざるを得ず、理想的なものとはなっていなかった。
【０００６】
【課題を解決するための手段】
以上のような現状に鑑み、本発明者は鋭意研究の結果遂に本発明釣り用クーラーを成したものでありその特徴とするところは、断熱材で形成されたクーラー本体と、開閉式の蓋体とを有する釣り用クーラーであって、該クーラー本体に着脱自在に嵌め込まれる中容器を有しており、またこの中容器の底材は該クーラー本体の底材と離反し両底材間に底空間部が形成されており、該底空間部には保冷材が収納されている点にある。
【０００７】
即ち本発明は、中容器によってクーラーの内部空間を上下に仕切り、その下部空間に保冷材を収納し、活きエビなどの餌は上部空間に入れておくようにしたことを特徴とするものである。なお、本発明クーラーによって鮮度を維持せんとする餌は、活きエビだけに限らず、イワシやドジョウなどの小魚、アケミ貝やサザエなどの貝類、ゴカイやイソメなどの環虫類、等々生きた状態で釣り針にかけられる餌全般を含むものとする。海水の有無は本発明の限定事項には属さず、よってエアーポンプも不可欠のものではない。
【０００８】
クーラー本体とその蓋体は、通常は回動自在に固定されており、従来の一般的な釣り用クーラーと構造上の差異は特にない。即ち、クーラー本体も蓋体も断熱材によって構成されており、蓋体を閉じることによりほぼ密閉される。
【０００９】
中容器は、クーラー本体に嵌め込まれる容器であり、この存在が本発明の最大の特徴である。中容器は少なくとも４側面と底面を有するものであるが、天面（即ち中容器の蓋）についてはこれを有していなくても良い。また、中容器を格納して状態でクーラー本体側の蓋体を閉じた時に、内部空間の密閉性が損なわれることがないような構造上の工夫は当然なされるものであるが、その詳細については限定しない。
【００１０】
中容器は、クーラー本体の内部空間を上下に２分画するものであるので、中容器の底部分はクーラー本体の底部分から離反することになる。また、この中容器は海水を入れることができるものである。従って、その重量に耐えられるだけの強度が必要である。又、中容器内の海水（或いは空気）は、主として該中容器の底部分を介して冷却されるものである。そうすると、少なくとも中容器の底部分の材質は、強度があって熱伝導性が低くないものであることが望ましい。又、保冷材（氷も含む）は該中容器底部分に直に接触している方が上部空間の冷却効果は高くなるので、格納される保冷材の大きさ形状によらず中容器底部分が接触するように工夫すると効率が良い。但し、これらの点は本発明を限定するものではないものとする。
【００１１】
中容器は、クーラー本体の内部空間を上下二区画に分けるためのものであるが同時に、活き餌を収納するための部材であるので、各活き餌に応じた構造上の工夫を凝らすようにして勿論構わない。例えば活きエビの場合であると、中容器内面に丁度嵌り込むような網容器を設けておくと、海水の入れ替え作業が容易になる、活きエビなどの数が少なくなった場合にはこの網容器を引き上げれば簡単に取り出すことができる、といった利点がある。但しこの網容器は大量の海水を必要とする餌の場合に効果を発揮するものであり、本発明にとって不可欠のものではない。
【００１２】
【発明の実施の形態】
以下図面に基づいて本発明をより詳細に説明する。
【００１３】
図１は、本発明に係る釣り用クーラー１（以下、本発明クーラー１という）の一例を示すものであり、回動自在に取設される蓋体３を伴ったクーラー本体２、該クーラー本体２の内部空間に嵌め込まれる中容器４、及びこの中容器４の内壁にきっちりと収まる網容器５、とにより構成される。またクーラー本体２の外側に設けられたポケット部にはエアーポンプＰが装備されており、該ポンプＰから延びるチューブＴは、蓋体３に刻設された孔３１を通過してクーラー本体２の内部空間に至っている。但しこのエアーポンプＰ並びにチューブＴ等は、餌が活きエビの場合には装備しているほうが良いものであるがイソメ類などの場合には省略可能なものであり、本発明に不可欠の部材ではない。
【００１４】
中容器４の深さは、図２からも明らかなようにクーラー本体２の深さよりも十分浅く、クーラー本体２の内部空間を上下二室に仕切る形となっている。この二区画の中、上側空間部は活き餌収納ゾーンＡであり、底空間部は氷などの保冷材６を格納しておく冷却ゾーンＢである。
【００１５】
また中容器４自体の構造は本例では、底部にアルミニウム板４１が嵌め込まれたポリプロピレン製のものを採用した。冷却ゾーンＢにある保冷材６に接触する部分に熱伝導性の高いアルミニウムを配置したので非常に効果的である。但し中容器４の構造はこれに限定するものではなく、各種プラスチックのみの一体成形品を使用すれば低コストにて製造できるし、全体を金属製（アルミニウムやステンレス鋼など）としても好適である（図示せず）。
【００１６】
【発明の効果】
以上詳細に説明したように本発明に係る釣り用クーラーは、断熱材で形成されたクーラー本体と、開閉式の蓋体とを有する釣り用クーラーであって、該クーラー本体に着脱自在に嵌め込まれる中容器を有しており、またこの中容器の底材は該クーラー本体の底材と離反し両底材間に底空間部が形成されており、該底空間部には保冷材が収納されているものであることを特徴とするものであり、以下述べる如き効果を有する極めて高度な発明である。
【００１７】
（１）　活き餌を生かしておくための冷却ができる。
（２）　冷却を直接担当する保冷材は、クーラー本体の内部空間を上下に仕切ってできる二室のうちの底空間部に収納されるものであるので、クーラーの開口面積を全く狭めることがない。よって、活き餌の取り出し作業が容易である。
（３）　活き餌収納部分と保冷材収納部分が中容器によって仕切られており、餌が直接保冷材に触れないため冷えすぎて死ぬ可能性が小さい。
（４）　保冷材に氷を採用することが多いが、二室に仕切られているので、氷が溶けて海水の塩分濃度を下げることがなく、餌の環境を悪化させない。
【図面の簡単な説明】
【図１】本発明に係る釣り用クーラーの一例を示す概略分解斜視図である。
【図２】本発明に係る釣り用クーラーの一例の概略断面図である。
【符号の説明】
１　　本発明に係る釣り用クーラー
２　　クーラー本体
３　　蓋体
３１　孔
４　　中容器
４１　アルミニウム板
５　　網容器
６　　保冷材
Ｐ　　エアーポンプ
Ｔ　　チューブ
Ａ　　活き餌収納ゾーン
Ｂ　　冷却ゾーン
【図１】
2004033180.tif 000003
【図２】
2004033180.tif 000004